(57)【特許請求の範囲】
【請求項１】
パレット、
前記パレットの上面周縁に設置される下金枠、
前記下金枠を介して前記パレットの一の方向の対辺に沿って設置される一対の固定側板であって、各々、少なくとも両側辺部分に支柱部を有するとともに中央部に開口部を有する固定側板枠部と、前記中央部に着脱自在に設置されるパネル部とを有する、前記一対の固定側板、
前記一対の固定側板の前記対向する支柱部の間に各々設置され、前記パレットの他の方向の対辺に沿って設置される一対の差込側板、
前記一対の固定側板の前記対向する支柱部の間に各々設置され、前記一対の差込側板の内側に前記パレットの他の方向に沿って対向して設置される一対の仕切板であって、各々が収容対象のロール製品の支管端部を保持する支持孔を有し、当該対向する前記仕切板の間に前記収容対象のロール製品を保持する前記一対の仕切板、及び、
前記一対の固定側板及び前記一対の差込側板で囲まれる前記パレット上の内部収容空間の上部開口を閉塞する上蓋
を有し、
前記固定側板枠部の前記支柱部は、各々、前記差込側板の一方の側辺が差し込まれる差込側板用溝、及び、前記仕切板の一方の側辺が差し込まれる仕切板用溝を有し、前記差込側板及び前記仕切板は、各々前記対向する前記支柱部の対向する前記差込側板用溝及び前記仕切板用溝に両側辺が差し込まれることにより、前記一対の固定側板の前記対向する支柱部の間に着脱自在に設置される
ことを特徴とするロール製品用コンテナ。
【請求項２】
前記下金枠は、前記パレットの角部に設置されるコーナー金具部を有し、
前記固定側板は、両側面下端部から外側に突出し前記コーナー金具部と離脱不能に掛止可能な抜け防止ピン、及び、両側面の所定の位置において外側に突出し前記コーナー金具部の上部に形成された掛止部と掛止することにより当該固定側板を回動不能にし立設状態を維持する転倒防止ピンを有する
ことを特徴とする請求項１に記載のロール製品用コンテナ。
【請求項３】
前記仕切板は、当該複数の分割仕切板の境界部分において前記ロール製品の前記支管端部を上下から挟持する複数の分割仕切板を有し、前記ロール製品を水平方向に複数並列配置するとともに多段に積層状態に収容することにより、複数の前記ロール製品を保持することを特徴とする請求項１または２に記載のロール製品用コンテナ。
【発明の詳細な説明】
【技術分野】
【０００１】
本発明は、ロール製品を収容し輸送等するための組み立て式コンテナであるロール製品用コンテナに関する。
【背景技術】
【０００２】
ロール製品を収容し輸送や保管等を行うためのコンテナとして従来より知られているものとしては、例えば、特許文献１や特許文献２に記載のコンテナを挙げることができる。特許文献１に開示の組み立て式コンテナは、１つの組み立て式コンテナで長さの異なるロール製品に対応可能であり、多種類のロール製品を収容対象とする場合に利便性が高い。また、特許文献２に開示のロール製品輸送用コンテナは、一度に複数のロール製品を収容し輸送等することができ、大量のロール製品を輸送する必要がある場合に利便性が高い。これらのコンテナにおいては、製品を収容しないときはできる限りコンパクトなサイズにしておくことが望まれており、折り畳み式（組み立て式）でかつ積み重ね可能な構成のものが広く用いられている。上述の特許文献１及び特許文献２に記載のコンテナもこの種の組み立て式コンテナである。
【０００３】
ロール製品用コンテナにロール製品を収容する場合、あるいは、ロール製品用コンテナに収容したロール製品を取り出す場合、一般的には、支管に吊りロープ等をかけてロール製品を上下移動させ、ロール製品をロール製品用コンテナの内部収容空間に収容、あるいは、内部収容空間から取り出す作業が行われる。例えば、特許文献２に記載のロール製品輸送用コンテナにおいてロール製品を収容あるいは取り出す場合も、ロール製品を吊りロープに吊るした状態で、上蓋を取り除いたコンテナの上部開口からロール製品を収容あるいは取り出すこととなる。
【先行技術文献】
【特許文献】
【０００４】
【特許文献１】特開２０１０−１７３７１５号公報
【特許文献２】特開平９−３１５４３３号公報
【発明の概要】
【発明が解決しようとする課題】
【０００５】
このような従来のロール製品用コンテナにおいては、コンテナにロール製品を収容するとき、あるいは、コンテナからロール製品を取り出すときの作業が難しく、時間がかかり効率が悪いという問題があった。例えば、ロール製品の支管に吊りロープをかけたり、あるいは、収容したロール製品の支管から吊りロープを取り外したりする作業をロール製品用コンテナの上部開口を通して行うのは容易でなく、時間のかかる面倒な作業である。また、ロール製品用コンテナの上部開口を通して上方より吊りロープにより吊られたロール製品を、コンテナの内部収容空間の所定の収容場所に他のロール製品あるいはコンテナの側板等と干渉させずに載置すること、あるいは、他のロール製品あるいはコンテナの側板等と干渉させずに取り出すことも非常に難しい作業であり、時間がかかり効率の上がり難い作業である。
【０００６】
特に、１つのコンテナに多数のロール製品を収容する場合には、例えば特許文献２に記載のロール製品輸送用コンテナのように、ロール製品を水平方向に並列に配置するとともに、そのようなロール製品の段を多段に構成することが想定されるが、そのような場合においては、各ロール製品の支管に吊りロープをかけること及び取り外すこと、あるいは、他のロール製品あるいはコンテナの側板と干渉させずにロール製品を載置すること及び取り出すことは、一層難しい作業となり、時間のかかる効率の悪い作業とならざるを得ない。換言すれば、１つのコンテナに多数のロール製品を収容したい場合には、このようなロール製品の収容及び取り出し作業を、容易に、短時間に、安全に効率よく行えるようになることが不可欠であると言える。
【０００７】
本発明は、このような課題を解決するためになされたものであって、その目的は、使用していない時は折り畳んで効率よく回送や保管等ができる組み立て式のコンテナであって、多数のロール製品を収容し輸送等することができるとともに、ロール製品の収容や取り出しを、短時間で容易な作業により安全に効率よく行うことができるロール製品用コンテナを提供することにある。
【課題を解決するための手段】
【０００８】
前記課題を解決するために、本願発明のロール製品用コンテナは、パレット、前記パレットの上面周縁に設置される下金枠、前記下金枠を介して前記パレットの一の方向の対辺に沿って設置される一対の固定側板であって各々少なくとも両側辺部分に支柱部を有するとともに中央部に開口部を有する固定側板枠部と前記中央部に着脱自在に設置されるパネル部とを有する一対の固定側板、前記一対の固定側板の前記対向する支柱部の間に各々設置され前記パレットの他の方向の対辺に沿って設置される一対の差込側板、前記一対の固定側板の前記対向する支柱部の間に各々設置され前記一対の差込側板の内側に前記パレットの他の方向に沿って対向して設置される一対の仕切板であって各々が収容対象のロール製品の支管端部を保持する支持孔を有し当該対向する前記仕切板の間に前記収容対象のロール製品を保持する前記一対の仕切板、及び、前記一対の固定側板及び前記一対の差込側板で囲まれる前記パレット上の内部収容空間の上部開口を閉塞する上蓋を有することを特徴とする。
【０００９】
好ましくは、前記固定側板枠部の前記支柱部は、各々、前記差込側板の一方の側辺が差し込まれる差込側板用溝、及び、前記仕切板の一方の側辺が差し込まれる仕切板用溝を有し、前記差込側板及び前記仕切板は、各々前記対向する前記支柱部の対向する前記差込側板用溝及び前記仕切板用溝に両側辺が差し込まれることにより、前記一対の固定側板の前記対向する支柱部の間に着脱自在に設置されることを特徴とする。
【００１０】
また好ましくは、前記下金枠は、パレットの角部に設置されるコーナー金具部を有し、前記固定側板は、両側面下端部から外側に突出し前記コーナー金具部と離脱不能に掛止可能な抜け防止ピン、及び、両側面の所定の位置において外側に突出し前記コーナー金具部の上部に形成された掛止部と掛止することにより当該固定側板を回動不能にし立設状態を維持する転倒防止ピンを有することを特徴とする。
【００１１】
また好ましくは、前記仕切板は、当該複数の分割仕切板の境界部分において前記ロール製品の前記支管端部を上下から挟持する複数の分割仕切板を有し、前記ロール製品を水平方向に複数並列配置するとともに多段に積層状態に収容することにより、複数の前記ロール製品を保持することを特徴とする。
【発明の効果】
【００１２】
本発明によれば、使用していない時は折り畳み効率よく回送や保管等ができる組み立て式のコンテナであって、多数のロール製品を収容し輸送等することができるとともに、ロール製品の収容や取り出しを、短時間で容易な作業により安全に効率よく行うことができるロール製品用コンテナを提供することができる。
【図面の簡単な説明】
【００１３】
【図１】図１は、本発明の一実施形態のロール製品用コンテナの全体構成を示す分解斜視図である。
【図２】図２は、図１に示したロール製品用コンテナを段積みする際に、下側のロール製品用コンテナの上蓋のズレ防止凸部に、上側のロール製品用コンテナのパレットの係合部が係合される状態を説明するための図である。
【図３】図３は、図１に示したロール製品用コンテナの下金枠のコーナー金具部付近の構成を示す斜視図である。
【図４】図４は、図１に示したロール製品用コンテナの固定側板の全体構成を示す斜視図である。
【図５】図５は、図１に示したロール製品用コンテナの固定側板の固定側板枠部の構成を示す図であり、図５（Ａ）は正面図であり、図５（Ｂ）は上面図である。
【図６】図６は、図５に示した固定側板枠部の支柱部の模式的な断面図である。
【図７】図７は、図１に示したロール製品用コンテナにおいて、固定側板の転倒防止ピンを下金枠のコーナー金具部の転倒防止ピン掛止部に掛止し固定側板を立設状態に維持する状態を説明するための図である。
【図８】図８は、図４に示した固定側板において、固定側板パネル部を固定側板枠部に離脱不能に固定するパネル掛止用板バネの構成を説明するための図である。
【図９】図９は、図１に示したロール製品用コンテナにおいて、パレット上の下金枠に沿って固定側板の固定側板枠部を立設した状態を示す図である。
【図１０】図１０は、図１に示したロール製品用コンテナにおいて、対向する仕切板間にロール製品を収容した状態を示す図である。
【発明を実施するための形態】
【００１４】
本発明のロール製品用コンテナの一実施形態について、図１〜図１０を参照して説明する。
本実施形態においては、組み立て式のコンテナであって、１０本のロール製品を収容可能なロール製品用コンテナ１を例示して本発明を説明する。
【００１５】
まず、ロール製品用コンテナ１の構造について、図１〜図８を参照して説明する。
ロール製品用コンテナ１は、図１に示すように、パレット１００、床板２００、下金枠３００、一対の固定側板４００、一対の差込側板５００、一対の仕切板６００及び上蓋７００を有する。
【００１６】
パレット１００は、ロール製品用コンテナ１の基台であって運搬台である。パレット１００は、所定の高さを有し平面形状が略長方形の直方体形状であり、側面にはフォークリフトの爪部（フォーク）が差し込まれるリフト用開口１０１が形成されている。また、パレット１００の下面には、図２に示すように、ロール製品用コンテナ１を段積みする場合に、後述する上蓋７００のズレ防止凸部７１０が係合される係合部１０３が形成されている。本実施形態においてパレット１００は、ステンレスやアルミニウム等の金属の角材、角筒パイプあるいは断面がＵ字あるいはＬ字の棒状部材を溶接等により連結して格子状に構成して形成したものとするが、樹脂成型により製造された樹脂パレット等であってもよい。
【００１７】
床板２００は、図１に示すように、ロール製品用コンテナ１の内部収容空間の下面を規定する板部材であり、パレット１００上面の後述する下金枠３００で囲まれた範囲に載置される。床板２００には、プラスチック段ボール板、合成樹脂板（発泡合成樹脂板を含む）、薄い金属板、合板、繊維板等の部材を用いる。
【００１８】
下金枠３００は、パレット１００の上面の周縁に沿って設置される金属製の部材である。下金枠３００は、ロール製品用コンテナ１が組み立てられた状態において、固定側板４００及び差込側板５００の位置を規定するとともに、これらを立設あるいは折り畳むための支持部材となる部材である。下金枠３００は、パレット１００の上面の四隅位置に設置されるコーナー金具部３１０と、パレット１００の短手方向の周縁に沿って設置され隣接するコーナー金具部３１０間を接続する短手方向接続枠３３０と、パレット１００の長手方向の周縁に沿って設置され隣接するコーナー金具部３１０間を接続する長手方向接続枠３４０とを有する。
【００１９】
コーナー金具部３１０は、ロール製品用コンテナ１を折り畳んだときの高さ、すなわち、パレット１００の上面に２枚の（一対の）固定側板４００、２枚の差込側板５００、及び、２枚の仕切板６００を倒して積載したときの高さに相当する高さを有する。そしてロール製品用コンテナ１がそのように折り畳まれた場合、コーナー金具部３１０は、上蓋７００を直接に支持する支柱として用いられる。
【００２０】
コーナー金具部３１０は、図３に示すように、固定側板４００の下側角部を支持する断面Ｌ字状の固定側板支持部３１１、固定側板４００の抜け防止ピン４０１を通過させるための抜け防止ピン用溝３１３、固定側板４００の抜け防止ピン４０１が抜け防止ピン用溝３１３の下部から固定側板支持部３１１の下部に移動可能なように、抜け防止ピン用溝３１３の下部から固定側板支持部３１１の下部に連続して形成された切り欠き部３１５、及び、固定側板支持部３１１の上面に形成され固定側板４００の転倒防止ピン４０３を掛止する転倒防止ピン掛止部３１７を有する。抜け防止ピン用溝３１３は、パレット１００の短手方向に沿って隣接するコーナー金具部３１０間において、対向するように形成されている。なお、コーナー金具部３１０のこれらの構造を利用した固定側板４００の設置方法、設置形態については、固定側板４００の説明の際に後述する。
【００２１】
短手方向接続枠３３０は、図１に示すように、コーナー金具部３１０とほぼ同じ高さを有し、その外面中央上部には、ロール製品用コンテナ１を折り畳んだ状態において上蓋７００のゴムバンド７２０を掛止するがゴムバンド受け金具３３１が設置されている。
【００２２】
長手方向接続枠３４０は、コーナー金具部３１０及び短手方向接続枠３３０に比べて低い高さに形成されており、後述する仕切板６００あるいはこれに載置されるロール製品に対して作業がし易くなるように形成されている。
【００２３】
一対の固定側板４００は、パレット１００の短手方向の周縁に沿って立設され、パレット１００の長手方向の周縁に沿って立設される後述する一対の差込側板５００とともに、パレット１００の上部空間を取り囲み、パレット１００上にロール製品を収容する内部収容空間を形成する。
【００２４】
固定側板４００は、図４に示すような平板状の部材であるが、図１に示すように、固定側板４００の左右両側辺部及び下辺部を形成する固定側板枠部４１０と、上方に開口した固定側板枠部４１０の中央部の空間に着脱自在に設置される固定側板パネル部４７０とを有する。固定側板パネル部４７０は、固定側板枠部４１０に対して上方に抜き取り可能な、また、固定側板枠部４１０に対して上方から差し込み可能な板状部材である。従って、固定側板パネル部４７０を固定側板枠部４１０から抜き取った場合には、固定側板４００の中央部には大きな開口部（固定側板パネル差込空間）４１２が形成されることとなる。
【００２５】
固定側板枠部４１０は、図５に示すように、固定側板４００の左右両側辺部を形成する一対の支柱部４２０と、固定側板４００の下辺部を形成し一対の支柱部４２０の下端を接続する横補強部４５０を有する。これら一対の支柱部４２０及び横補強部４５０で囲まれ上方に開放された開口部４１２に固定側板パネル部４７０が上方より差し込み設置され、図４に示すような固定側板４００が形成される。
【００２６】
固定側板枠部４１０の支柱部４２０は、図６に模式的な断面形状を示すように、角筒状の縦補強部材４２１、板状部材を屈曲して形成した支持部材４２２、及び、各々板状部材を溝形状に屈曲して形成した差込側板用溝形成部材４２３、仕切板用溝形成部材４２４及び固定側板パネル用溝形成部材４２５を、溶接により図示のごとく接合して形成したものである。これにより、支柱部４２０には、図６及び図５（Ｂ）に示すように、差込側板５００の側辺が差し込まれる差込側板用溝４３３、仕切板６００の側辺が差し込まれる仕切板用溝４３４及び固定側板パネル部４７０の側辺が差し込まれる固定側板パネル用溝４３５が形成される。
【００２７】
差込側板用溝４３３及び仕切板用溝４３４は、固定側板４００をパレット１００上に立設した場合に、パレット１００の内側方向に開口する向きに形成される。これにより、一対の固定側板４００がパレット１００上に対向設置された場合には、各固定側板４００の差込側板用溝４３３及び仕切板用溝４３４も各々対向配置されることとなり、これら対向配置された差込側板用溝４３３及び仕切板用溝４３４に、各々、差込側板５００及び仕切板６００の両側辺が差し込まれ、差込側板５００及び仕切板６００が固定側板４００に対して設置される。
【００２８】
また、固定側板パネル用溝４３５は、支柱部４２０の固定側板パネル差込空間４１２側の端面に形成される。これにより、固定側板枠部４１０の一対の支柱部４２０間において固定側板パネル用溝４３５が対向配置されることになり、この対向配置された固定側板パネル用溝４３５に固定側板パネル部４７０の両側辺が差し込まれ、固定側板パネル部４７０が支柱部４２０に対して設置される。
【００２９】
横補強部４５０の上辺には、板状部材を溝形状に屈曲して形成した固定側板パネル用溝形成部材４５５が溶接により接合されている。これにより、支柱部４２０の固定側板パネル用溝４３５に両端で連続するとともに、固定側板パネル部４７０の下辺が差し込まれる固定側板パネル用溝４６５が、固定側板パネル差込空間４１２方向に開口するように形成される。
【００３０】
そして、このように周囲が固定側板パネル用溝４３５、４６５に囲まれた固定側板パネル差込空間４１２に固定側板パネル部４７０を差し込むことにより、固定側板枠部４１０と固定側板パネル部４７０とが一体化されて１の固定側板４００が形成される。また、固定側板パネル部４７０を固定側板パネル差込空間４１２から抜き取ることにより、固定側板枠部４１０と固定側板パネル部４７０とが分離されて固定側板４００の中央部に大きな開口部４１２が形成されることとなる。
【００３１】
固定側板パネル部４７０は、例えばプラスチック段ボール板の周囲をスチール製の枠部材で囲んだ構成である。固定側板パネル部４７０の上枠部材の一方の側の外面には、図８に示すように、固定側板パネル部４７０を固定側板枠部４１０に対して離脱不能に固定するためのパネル掛止用板バネ４７３が設置されている。パネル掛止用板バネ４７３は、固定側板パネル部４７０の側辺から外側に突出しており、その突出した箇所に、固定側板枠部４１０に設置されたパネル掛止孔４１５に嵌挿されるパネル掛止ピン４７４が形成されており、さらにその先端部には、パネル掛止ピン４７４を固定側板パネル部４７０の板面から離れる方向に持ち上げるための取っ手４７５としてのリング状部材が設置されている。このパネル掛止用板バネ４７３のパネル掛止ピン４７４が形成されている箇所の端部は、外部から力を作用させていない通常の状態において、固定側板枠部４１０のパネル掛止孔４１５に嵌挿される形態に設置されている。
【００３２】
固定側板パネル部４７０を固定側板枠部４１０の固定側板パネル差込空間４１２に差し込むときには、固定側板パネル部４７０が開口部４１２に完全に差し込まれる直前に、取っ手４７５を操作してパネル掛止用板バネ４７３のパネル掛止ピン４７４の部分を固定側板パネル部４７０の板面から離れる方向に持ち上げ、パネル掛止用板バネ４７３の端部とパネル掛止ピン４７４との嵌挿状態を解除する。その状態で固定側板パネル部４７０を固定側板パネル差込空間４１２に対して最後まで差し込み、パネル掛止用板バネ４７３の持ち上げ状態を解除する。その結果、パネル掛止用板バネ４７３のパネル掛止ピン４７４が固定側板枠部４１０のパネル掛止孔４１５に嵌挿され、以後、固定側板パネル部４７０は、再度パネル掛止用板バネ４７３の端部を持ち上げてパネル掛止用板バネ４７３のパネル掛止ピン４７４と固定側板枠部４１０のパネル掛止孔４１５との嵌挿状態を解除しない限り、固定側板枠部４１０から抜き取り不能な状態となる。このようにして、固定側板パネル部４７０は固定側板枠部４１０に対して着脱不能に装着される。
【００３３】
固定側板４００の両側面の下部（固定側板枠部４１０の両側面の下部）には、図４及び図５に示すように、各々外側に突出するように抜け防止ピン４０１が設置されている。また、固定側板４００の左右両側の外面の下部の所定の位置には、各々、固定側板４００の板面と平行で水平方向（固定側板４００の下辺と平行な方向）に延伸した転倒防止ピン４０３が設置されている。転倒防止ピン４０３の外側の端部は、固定側板４００の左右両側面より外側に突出している。なお、転倒防止ピン４０３の設置位置は、固定側板４００の下辺から、下金枠３００のコーナー金具部３１０の高さに略等しい長さ上方の位置である。
【００３４】
固定側板４００は、パレット１００の短手方向に沿って、換言すれば下金枠３００の短手方向接続枠３３０に沿って設置されるが、固定側板４００をパレット１００に設置するときは、抜け防止ピン４０１を、図３を参照して前述した下金枠３００のコーナー金具部３１０に係合させることにより固定側板４００をパレット１００に対して分離不能に一体化する。また、固定側板４００をパレット１００上の短手方向接続枠３３０に沿って立設するときは、転倒防止ピン４０３を、コーナー金具部３１０の転倒防止ピン掛止部３１７に掛止することにより固定側板４００の姿勢を垂直状態に維持する。
【００３５】
より具体的には、固定側板４００をコーナー金具部３１０に設置する場合には、固定側板４００の両側辺下部に各々外側に突出するように設置された抜け防止ピン４０１を、パレット１００の短手方向において隣接するコーナー金具部３１０（図３参照）の対向する抜け防止ピン用溝３１３に落とし込む。そして、固定側板４００が下まで落とし込まれたら、抜け防止ピン４０１をコーナー金具部３１０の切り欠き部３１５に沿ってずらし、換言すれば固定側板４００の下部を短手方向接続枠３３０方向にずらし、抜け防止ピン４０１が固定側板支持部３１１の下部の切り欠き部分に配置され、固定側板４００の下部が固定側板支持部３１１に沿った位置に配置される状態とする。その結果、固定側板４００の抜け防止ピン４０１がコーナー金具部３１０の切り欠き部３１５に係合することとなり、固定側板４００はコーナー金具部３１０から抜けない状態、すなわち固定側板４００はパレット１００の上面から離れない状態となる。
【００３６】
また、このとき、図７に示すように、固定側板４００の転倒防止ピン４０３をコーナー金具部３１０の転倒防止ピン掛止部３１７に係合させる。これにより、固定側板４００は内側方向に傾倒不能となり、固定側板４００は、下金枠３００のコーナー金具部３１０に沿ってパレット１００上に立設された状態となる。
【００３７】
固定側板４００の外面中央上部（固定側板パネル部４７０の外面中央上部）には、ロール製品用コンテナ１を組み立てた状態において上蓋７００のゴムバンド７２０を掛止するがゴムバンド受け金具４０５が設置されている。
【００３８】
差込側板５００は、図１に示すように、パレット１００の長手方向の周縁に沿って相互に向き合うように立設され、パレット１００の短手方向の周縁に沿って相互に向き合うように立設される前述の固定側板４００とともに、パレット１００の上部空間を取り囲み、パレット１００上にロール製品を収容する内部収容空間を形成する。一対の差込側板５００は、各々、下側差込側板５０１及び上側差込側板５０２の２枚の差込側板部材で構成されており、上下に分離可能となっている。
【００３９】
固定側板４００の固定側板枠部４１０の支柱部４２０には、前述したように、差込側板用溝４３３が形成されており、一対の固定側板４００がパレット１００の長手方向に対向するようにパレット１００に設置された場合には、差込側板用溝４３３もパレット１００の長手方向の両側において対向するように形成される。差込側板５００、換言すれば、下側差込側板５０１及び上側差込側板５０２の各々は、この差込側板用溝４３３に差し込まれて、パレット１００上面の長手方向の周縁に下金枠３００の長手方向接続枠３４０に沿って立設される。
【００４０】
差込側板５００の下側差込側板５０１及び上側差込側板５０２は、各々、固定側板４００の固定側板パネル部４７０と同様に、例えばプラスチック段ボール板の周囲をスチール製の枠部材で囲んだ構成である。
【００４１】
また、下側差込側板５０１の上枠部材の中央外面と上側差込側板５０２の下枠部材の中央外面には連結部材５１１が設けられており、下側差込側板５０１及び上側差込側板５０２が設置された状態で連結部材５１１を用いることにより、下側差込側板５０１と上側差込側板５０２は分離不能にされて差込側板５００として一体化される。なお、連結部材５１１は、任意の連結部材を用いることができる。例えば、フック状の掛止金具とこれを受ける掛止受具からなる部材であってもよいし、面ファスナーのようなテープ部材であってもよい。
【００４２】
また、差込側板５００の上部外面の両側付近（上側差込側板５０２の上枠部材の左右両側外面）には、隣接する固定側板４００の上端部と差込側板５００（上側差込側板５０２）の上端部とを連結する連結具５１３が設けられており、これにより、一対の固定側板４００と一対の差込側板５００は、各々隣接する側板間で上端部が連結される。
【００４３】
仕切板６００は、ロール製品用コンテナ１が収容するロール製品の支管端部を支持する部材である。図１に示すように、仕切板６００は、上下方向に６枚の仕切板６０１〜６０６に分割されており、各分割仕切板６０１〜６０６は、その境界部分においてロール製品の支管端部を上下から挟持し、これを支持する構成となっている。固定側板４００の固定側板枠部４１０の支柱部４２０には、前述したように、仕切板用溝４３４が形成されており、一対の固定側板４００がパレット１００の長手方向に対向するように設置された場合には、仕切板用溝４３４もパレット１００の長手方向において対向するように配置される。仕切板６００、換言すれば、６枚の仕分割切板６０１〜６０６の各々は、この対向配置される仕切板用溝４３４に両側辺が各々差し込まれて仕切板用溝４３４に沿って落とし込まれることにより、パレット１００の内部収容空間内において、換言すれば対向設置される差込側板５００の内側において、パレット１００の短手方向の両側に立設される。
【００４４】
６枚の分割仕切板６０１〜６０６の間の５箇所の境界部分には、図１に示すように、ロール製品の支管の支持孔６１０が形成される。各支持孔６１０は、上側の仕切板６０２〜６０６）の下辺に形成される下向きの半円状切り欠きと、下側の仕切板６０１〜６０５の上辺に形成される上向きの半円状切り欠きとが対向した位置に形成されることにより、当該箇所に円形状に形成される。また、上下に隣接する境界部分においては、支持孔６１０は水平方向のずれた位置（仕切板６００の長手方向のずれた位置）に形成されており、各支持孔６１０間の距離が長くなるように配置されている。このように構成することで、同じ容積の空間内に径の太いロール製品を相互に干渉しないように収容することができ好適である。
【００４５】
パレット１００の短手方向に対向配置される一対の仕切板６００は、対向する位置に支持孔６１０が形成される構成となっており、これによりロール製品の軸方向両端の支管端部が各々仕切板６００の支持孔６１０により支持される。
図示のごとく、本実施形態のロール製品用コンテナ１においては、１つの境界部分に２個の支持孔６１０が形成されており、また、仕切板６００は５箇所の境界部分を有するので、仕切板６００全体としては合計１０個の支持孔６１０が形成されている。換言すれば、ロール製品用コンテナ１は、１０本のロール製品を収容することができる。
【００４６】
上蓋７００は、パレット１００上に固定側板４００及び差込側板５００により形成される内部収容空間の上部開口を閉塞する平板状部材である。上蓋７００の上面の四隅には、ロール製品用コンテナ１にロール製品を収容した状態で、あるいは、ロール製品用コンテナ１が折り畳まれた状態で、各々ロール製品用コンテナ１が順次段積み可能なように、ズレ防止凸部７１０が形成されている。ズレ防止凸部７１０は、パレット１００の下面に形成される係合部１０３に係合可能な配置、形状で上蓋７００に形成されている。図２に示すように、上蓋７００の上面のズレ防止凸部７１０をパレット１００の下面の係合部１０３に係合させてロール製品用コンテナ１を順次段積みすることにより、段積みしたロール製品用コンテナ１のズレ等が防止される。
【００４７】
また、上蓋７００の短手方向の両側面には、ゴムバンド７２０が設置されている。ゴムバンド７２０は、ロール製品用コンテナ１が組み立てられた状態においては固定側板４００のゴムバンド受け金具４０５に、また、ロール製品用コンテナ１が折り畳まれた状態においては下金枠３００のゴムバンド受け金具３３１に掛止され、いずれの場合も、上蓋７００が容易に開放されないようにこれを保持する。
なお、上蓋７００も、固定側板４００の固定側板パネル部４７０及び差込側板５００と同様に、例えばプラスチック段ボール板の周囲をスチール製の枠部材で囲んだ構成である。
【００４８】
次に、このような構造のロール製品用コンテナ１の使用方法及び使用形態について、さらに図９及び図１０を参照して説明する。
まず、折り畳まれているロール製品用コンテナ１を組み立てて、ロール製品８００を収容して搬送等する際のロール製品用コンテナ１の使用方法及び使用形態について説明する。
ロール製品用コンテナ１を組み立てる場合には、まず、固定側板４００の固定側板枠部４１０をパレット１００の短手方向の周縁に沿って立設する。このときには、固定側板枠部４１０に設置されている抜け防止ピン４０１を下金枠３００のコーナー金具部３１０の抜け防止ピン用溝３１３に落とし込み、抜け防止ピン用溝３１３の底部で抜け防止ピン４０１を（固定側板枠部４１０の下辺部を）切り欠き部３１５の固定側板支持部３１１側に移動させ、固定側板枠部４１０がコーナー金具部３１０から抜けないようにする。また、これとともに、固定側板枠部４１０に設けられている転倒防止ピン４０３をコーナー金具部３１０の転倒防止ピン掛止部３１７に掛止する。これにより、固定側板枠部４１０は、図９に示すように、下金枠３００のコーナー金具部３１０及び短手方向接続枠３３０に沿って立設された状態となり、パレット１００の長手方向両側に対向して立設された状態となる。
【００４９】
次に、分割仕切板６０１〜６０６の一番下の分割仕切板となる一対の分割仕切板６０１をパレット１００の短手方向に対向するように設置する。固定側板枠部４１０の支柱部４２０に形成された仕切板用溝４３４に分割仕切板６０１の両側辺を差しいれることにより、分割仕切板６０１が対向する固定側板枠部４１０間に設置される。
【００５０】
この状態となったら、一番下の分割仕切板６０１上に収容対象のロール製品８００を載置する。ロール製品８００の両側支管端部８１０を吊りロープ等により吊るすことによりロール製品８００を持ち上げ、ロール製品用コンテナ１の上部よりパレット１００上の収容空間に搬入する。
この作業は従来のロール製品用コンテナ１の場合と同じであるが、本実施形態のロール製品用コンテナ１においては、固定側板４００については固定側板パネル部４７０が設置されておらず中央部に開口部４１２が形成された状態であり、差込側板５００も未だ設置されておらず、また、仕切板６００も一番下の分割仕切板６０１のみが設置された状態である。従って、ロール製品用コンテナ１の上部のロール製品８００の収容空間はほとんど閉塞されていない開放された空間となっており、ロール製品８００の収容設置を容易に行うことができる。すなわち、例えば固定側板４００の開口部４１２から作業が手を入れて、収容途中のロール製品８００を押えて揺れや動きを抑制する等の作業を容易に行うことができ、ロール製品８００を短時間で効率よく安全に収容することができる。
【００５１】
最下段の分割仕切板６０１の支持孔６１０に対してロール製品８００を収容したら、２段目の分割仕切板６０２を設置することにより、既に載置したロール製品８００の支管端部８１０を上下から挟持するとともに、２段目のロール製品８００を載置する支持孔６１０が配置されるので、この状態で２段目のロール製品８００の搬入を行う。
この時も、固定側板４００の開口部４１２は開放されたままであり、また、差込側板５００も設置されていないので、１段目の場合と同様に、ロール製品８００の収容を短時間で効率よく安全に行うことができる。
【００５２】
同様の作業を繰り返し５段目までの計１０本のロール製品８００をパレット１００上の収容空間に収容したら、６番目の分割仕切板６０６を設置し、５段目のロール製品８００の支管端部８１０の上部を上から抑える。これにより、図１０に示すように、１０本全てのロール製品８００の支管端部８１０は、対向配置された仕切板６００により挟持された状態となり、ロール製品８００の収容が完了する。
【００５３】
ロール製品８００の収容が終了したら、固定側板４００の開口部４１２に対して固定側板パネル部４７０を差し込み、固定側板４００の開口部４１２を閉塞する。また、パレット１００の長手方向に沿って下側差込側板５０１及び上側差込側板５０２を順次差し込み、連結部材５１１によりこれらを結合し、さらにその上端部において連結具５１３により差込側板５００の上端部と隣接する固定側板４００の上端部とを連結する。
【００５４】
そして、固定側板４００及び差込側板５００で囲まれたロール製品用コンテナ１の収容空間の上部開口を上蓋７００により閉塞し、ゴムバンド７２０を固定側板４００のゴムバンド受け金具４０５に掛止する。
これにより、ロール製品用コンテナ１の組み立て及びロール製品８００の収容作業が終了する。
【００５５】
次に、ロール製品８００を収容して輸送されたロール製品用コンテナ１からロール製品８００を取り出し、ロール製品用コンテナ１を折り畳み回送等する場合のロール製品用コンテナ１の使用方法及び使用形態について説明する。
ロール製品８００を収容したロール製品用コンテナ１を輸送等し目的地に到着したら、上蓋７００を開放し、さらに、差込側板５００及び固定側板４００の固定側板パネル部４７０を取り除く。次に、一番上の分割仕切板６０６を取り除き、最上段に載置されていたロール製品８００をロール製品用コンテナ１から取り出す。この時は、差込側板５００は設置されておらず、固定側板４００は固定側板パネル部４７０が除外されて開口部４１２が広く開いた状態である。従って、ロール製品８００を取り出すために支管端部８１０へ吊りロープを掛ける作業や、吊られたロール製品８００の揺れを抑える等の作業を、作業者は容易に行うことができる。
【００５６】
最上段のロール製品８００の取り出しが終了したら、２番目の分割仕切板６０５を取り除き、上から２段目のロール製品８００を同様にして取り出す。以下、５段目に収容されているロール製品８００までを順次同様の作業により取り出す。
【００５７】
全てのロール製品８００の取り出しが終了したら、最下段の分割仕切板６０１も取り除き、固定側板４００の固定側板枠部４１０の転倒防止ピン４０３と下金枠３００のコーナー金具部３１０の転倒防止ピン掛止部３１７との掛止状態を解除する。その結果、固定側板４００はパレット１００の上面方向に傾倒可能となるので、対向する固定側板４００を順次傾倒しパレット１００の上面に折り畳み載置する。固定側板４００を折り畳んだら、その上に、一対の仕切板６００および一対の差込側板５００を各々載置し、コーナー金具部３１０により４隅が支持されるように上蓋７００で全体を閉塞し、ゴムバンド７２０を短手方向接続枠３３０のゴムバンド受け金具３３１に掛止する。
これによりロール製品用コンテナ１の折り畳みが完了し、ロール製品用コンテナ１は小さい容積で回送等することができる。
【００５８】
このように、本発明のロール製品用コンテナ１においては、ロール製品８００を収容する際、あるいは取り出す際に、固定側板４００に開口部４１２が形成されており、ここから作業者がロール製品８００の収容あるいは取り出しのための作業を行うことができる。従って、例えば、各ロール製品８００の支管８１０に吊りロープをかけること及び取り外すこと、あるいは、他のロール製品８００あるいはコンテナの側板と干渉させずにロール製品８００を載置すること及び取り出すこと等の作業を、作業者は容易に行うことができる。その結果、これらの作業を、短時間で効率よく安全に行うことができる。
【００５９】
換言すれば、このようにロール製品８００の収容や取り出しの作業を容易に行うことができるので、１つのコンテナに対してより多数のロール製品８００を収容することができ、また、より多数のロール製品８００を収容することのできるロール製品用コンテナを現実のものとして使用可能にすることができる。
【００６０】
なお、本発明は、前述した実施形態に限定されるものではなく、本発明の範囲内で種々に改変することができる。
【符号の説明】
【００６１】
１…ロール製品用コンテナ
１００…パレット
１０１…リフト用開口
１０３…係合部
２００…床板
３００…下金枠
３１０…コーナー金具部
３１１…固定側板支持部
３１３…抜け防止ピン用溝
３１５…切り欠き部
３１７…転倒防止ピン掛止部
３３０…短手方向接続枠
３３１…ゴムバンド受け金具
３４０…長手方向接続枠
４００…固定側板
４０１…抜け防止ピン
４０３…転倒防止ピン
４０５…ゴムバンド受け金具
４１０…固定側板枠部
４１２…開口部（固定側板パネル差込空間）
４１５…パネル掛止孔
４２０…支柱部
４２１…縦補強部材
４２２…支持部材
４２３…差込側板用溝形成部材
４２４…仕切板用溝形成部材
４２５…固定側板パネル用溝形成部材
４３３…差込側板用溝
４３４…仕切板用溝
４３５…固定側板パネル用溝
４５０…横補強部
４５５…固定側板パネル用溝形成部材
４６５…固定側板パネル用溝
４７０…固定側板パネル部
４７３…パネル掛止用板バネ
４７４…パネル掛止ピン
４７５…取っ手
５００…差込側板
５０１…下側差込側板
５０２…上側差込側板
５１１…連結部材
５１３…連結具
６００…仕切板
６０１〜６０６…分割仕切板
６１０…支持孔
７００…上蓋
７１０…ズレ防止凸部
７２０…ゴムバンド
８００…ロール製品
８１０…支管（支管端部）
【図１】
0006375727.tif 000002
【図２】
0006375727.tif 000003
【図３】
0006375727.tif 000004
【図４】
0006375727.tif 000005
【図５】
0006375727.tif 000006
【図６】
0006375727.tif 000007
【図７】
0006375727.tif 000008
【図８】
0006375727.tif 000009
【図９】
0006375727.tif 000010
【図１０】
0006375727.tif 000011